(57)【要約】      （修正有）【課題】キャスティング時に仕掛けの絡みを防止することができるとともに、魚のアタリを敏感に認識することができる釣用天秤の提供。【解決手段】釣用天秤１０のメインワイヤ２０の外径寸法Cよりもサブワイヤ３０の外径寸法Bを小さく設定した。サブワイヤ３０がメインワイヤの先端環状部４１を挿通し、サブワイヤ３０の途中部を支持する形成に設定した。メインワイヤの屈曲部２２と接続部４５の間にスナップサルカン５７が設定され、錘１２と接続する。錘１２と接続されたスナップサルカン５７は、メインワイヤ２０の屈曲部２２と接続部４５の間を自在にスライドする可動式に設定した。【選択図】図１
2014221008.tif 000002
【特許請求の範囲】
【請求項１】
本願に係る釣用天秤は、道糸の先端部に基端環状部が連結されたメインワイヤと、メインワイヤの所定位置より先端側に取付けられたスライド自在な錘と、基端部（サブワイヤ側）が前記メインワイヤの前記所定位置に接続され、途中部（サブワイヤ側）が前記メインワイヤの先端環状部を挿通し、先端環状部（サブワイヤ側）に仕掛けが連結されるサブワイヤとを備えた釣用天秤であり、前記サブワイヤの外径は、前記メインワイヤの外径よりも小さく設定されていることを特徴とする釣用天秤。
【請求項２】
請求項１記載の釣用天秤において、前記メインワイヤの途中部には屈曲部（２２）が形成されており、メインワイヤの前記所定位置から前記屈曲部までの間を、前記錘と連結具がスライド自在になっていることを特徴とする釣用天秤。
【請求項３】
請求項１、２記載の釣用天秤において、前記メインワイヤの基端部から屈曲部は、前記錘の重心と道糸の端部が通る直線上に配置されていることを特徴とする釣用天秤。
【請求項４】
請求項１、２、３記載の釣用天秤において、前記メインワイヤの屈曲部と先端環状部（４１）の間に、スライド規制部材（２３）が設けられていることを特徴とする釣用天秤。
【発明の詳細な説明】
【技術分野】
【０００１】
本発明は、主として投げ釣りに使用される釣用天秤の構造に関するものである。          
【背景技術】
【０００２】
釣りのジャンルに「投げ釣り」と称されるものがある。投げ釣りでは釣人は、釣竿及び釣用リールを使用して仕掛けを遠投する。一般に投げ釣りでは、仕掛けが遠投されればされるほどターゲットのバイトの確率が上がり、また、魚のヒット（いわゆるアタリ）が敏感に釣り人に伝われば釣果につながると考えられている。このため従来の仕掛けは、飛距離を伸ばすことと、感度を増す目的で様々な改良がなされている。  
【０００３】
図８は、従来の一般的な投げ釣り用タックルの構成を示す模式図である。同図が示すように、このタックルは、天秤６０と「スナップサルカン」と称される連結具５７を介して天秤６０に連結された道糸５１と、天秤６０に連結された仕掛け５８とを備えている。仕掛け５８は、幹糸５４に釣針５２が固定されたものである。天秤６０は、錘５３、メインワイヤ６１、及びサブワイヤ６２を備えている。サブワイヤ６２は、メインワイヤ６１に対して直交している。釣人は、釣竿を用いて仕掛け５８を遠投する。タックルの中で最も重いのは錘５３である。このため釣人のキャスティング動作により、仕掛け５８は錘５３を先頭に飛行する。このとき幹糸５４は、錘５４に引っ張られるようにして道糸５１側（図８における上側）へ延びて飛行する。同図が示すように、幹糸５４がサブワイヤ６２によって道糸５１から離隔されているので、仕掛け５８の飛行中に幹糸５４が道糸５１に絡まることが防止される。仕掛け５８が着水した後に釣人は、釣用リールを巻き上げて道糸５１の弛みを除去し、また、幹糸５４が同図の状態となるようにセットする。さらに釣人は、状況に応じて道糸５１をゆっくりとリーリングし、いわゆる引き釣りを行うことにより魚のバイトを誘う。魚がバイトすれば、その振動が天秤６０及び道糸５１を介して釣人に伝わり、釣人は魚のヒットを確認する。
【０００４】
線径の異なるメインワイヤとサブワイヤが固定されている釣用天秤が従来から提供されている。(例えば、特許文献１参照)。この天秤のサブワイヤは、基端部の外径寸法が１．０mmに設定され、先端部の外径が０．８mmに構成されており、極めて柔軟である。そのため、仕掛けの飛行中にサブワイヤが受ける空気抵抗が軽減される。これらの天秤は錘と天秤が一体で構成されており、極めてブレが少ない。そのため、仕掛けの遠投性が向上する。
【先行技術文献】
【特許文献】
【０００５】
【特許文献１】特開２００９−１７８１３８号公報
【発明の概要】
【発明が解決しようとする課題】
【０００６】
上記の天秤は、錘にメインワイヤとサブワイヤを固定した形状であり、飛行性を重視した形状である。引き釣りの際には錘を固定した天秤が魚をヒット（いわゆるアタリ）した時、錘負荷が加わり、釣人が魚のアタリを確認することが困難になる。すなわち、天秤の設計においては特に天秤と錘の設定が重要である。
【０００７】
本発明は、かかる背景のもとになされたものであって、キャスティング時に仕掛けの絡みを防止することができるとともに、魚の微弱なアタリを認識しやすくなることが可能な釣用天秤を提供することが目的である。
【課題を解決するための手段】
【０００８】
上記目的を達成するため、本願に係る釣用天秤は、道糸の先端部に基端環状部が連結されたメインワイヤと、メインワイヤの所定位置より先端側に取付けられたスライド自在な錘と、基端部（サブワイヤ側）が前記メインワイヤの前記所定位置に接続され、途中部（サブワイヤ側）が前記メインワイヤの先端環状部を挿通し、先端環状部（サブワイヤ側）に仕掛けが連結されるサブワイヤとを備えた釣用天秤であり、前記サブワイヤの外径は、前記メインワイヤの外径よりも小さく設定されていることを特徴とするものである。
【０００９】
この構成によれば、釣用天秤のサブワイヤはメインワイヤより細く、サブワイヤが飛行中に受ける空気抵抗が低減される。また、仕掛けが着水して海底に配置された状態で魚のバイトがあった時、細いサブワイヤが撓み、釣用天秤が振動して道糸に伝わる。したがって、上記振動は敏感に釣人に伝達される。また、釣用天秤が飛行する時、剛性の低いサブワイヤをメインワイヤの先端環状部が支持する形状を有することで、サブワイヤの撓みを抑えられ、仕掛けが道糸に絡むことが少なくできる。
【００１０】
また、前記メインワイヤの途中部には屈曲部（２２）が形成されており、メインワイヤの前記所定位置から前記屈曲部までの間を、前記錘と連結具がスライド自在になっていることを特徴とするものである。
【００１１】
この構成によれば、メインワイヤの屈曲部からメインワイヤとサブワイヤの接続部間を、錘が接続されたスナップサルカンが自在に可動することで、魚がヒットしたことによる振動が錘の負荷を受けることなく天秤のみを介して道糸に伝わる。したがって釣人は、魚の微弱なアタリでも敏感に認識することが可能となる。          
【００１２】
また、前記メインワイヤの基端部から屈曲部は、前記錘の重心と道糸の端部が通る直線上に配置されていることを特徴とするものである。
【００１３】
この構成によれば、キャスティング時における釣用天秤の飛行姿勢が安定する。したがって、仕掛けの絡みがより少なくなるとともに釣用天秤の飛距離が伸びる。
【００１４】
また、前記メインワイヤの屈曲部と先端環状部（４１）の間に、スライド規制部材（２３）が設けられていることを特徴とするものである。
【００１５】
この構成によれば、メインワイヤの先端部に規制部材を設定して可動域を制限することで、スナップサルカンに接続した錘のスライドが一定方向に移動する。したがって、魚がヒットしたとき天秤がスムーズに可動する。また、錘のブレが少なくなり飛行姿勢が安定する。
【発明の効果】
【００１６】
本発明によれば、メインワイヤの外径よりサブワイヤの外径が小さく設定され、サブワイヤの途中部がメインワイヤの先端環状部に支持されていることで、キャスティング時にサブワイヤの撓みを抑え、仕掛けの絡みを防止することができる。さらに、本発明では、メインワイヤの前記所定位置から前記屈曲部までの間を、錘が接続された連結具が自在にスライドすることで、魚がヒットしたとき天秤が錘負荷を受けずに動き、魚の微妙な振動を釣人へ伝えることができる。
【００１７】
また、メインワイヤの基端部から屈曲部は、上記錘の重心と道糸の端部が通る直線上に配置されており、キャスティング時の飛行姿勢が安定するので、仕掛けの絡みをより少なくすることができる。
【００１８】
また、メインワイヤの屈曲部と先端環状部の間にスライド規制部材が設けられているので、スナップサルカンに接続した錘が一定方向に移動し、釣用天秤のブレが少なくなり飛行姿勢が安定する。その結果、飛距離を伸ばすことができ、さらに、魚がヒットした時スムーズな動きにより、魚の微弱な振動も釣人へ伝えることができるという利点がある。
【図面の簡単な説明】
【００１９】
【図１】本発明の第１実施形態に係る釣用天秤１０の図である。
【図２】図１におけるＡ２部の拡大図である。
【図３】図１におけるＡ３部の拡大図である。
【図４】図１におけるＡ４部の拡大図である。
【図５】図１におけるＡ５部の拡大図である。
【図６】実釣時における釣用天秤１０の移動形態を示す図である。
【図７】本発明の第２実施形態に係る釣用天秤７０の図である。
【図８】従来一般的な投げ釣り用タックルの構成を示す模式図である。
【発明を実施するための形態】
【００２０】
以下、実施形態に基づいて本発明を詳細に説明する。本実施形態は本発明の一例にすぎず、本発明の要旨を変更しない範囲で適宣変更され得る。
【００２１】
（第１実施形態）
図１は、本発明の第１実施形態に係る釣用天秤１０の図である。
【００２２】
釣用天秤１０は、いわゆる投げ釣の際に使用される。この釣用天秤１０は、道糸５１と仕掛け５８とを接続するものである。図１が示すように釣用天秤１０は、スナップサルカン５７に接続した錘１２と、道糸５１を接続したスナップサルカン５７が連結されるメインワイヤ２０と、仕掛け５８が連結されるサブワイヤ３０とを備えている。本実施形態に係る釣用天秤１０の特徴とするところは、メインワイヤ２０の先端環状部４１でサブワイヤ３０の途中部を支える形態で構成されている点と、スナップサルカン５７に接続した錘１２が自在に動くスライド式に構成されている点である。
【００２３】
本実施形態では、釣用天秤１０のメインワイヤ２０は、基端環状部４２（図４参照）と、屈曲部２２（図３参照）と、スライド規制部材２３と、先端環状部４１で構成されている。また、メインワイヤ２０の屈曲部２２から接続部４５の間には、錘１２を接続したスナップサルカン５７が設けられている。もう一方のサブワイヤ３０は、先端環状部４３（図５参照）と、サブワイヤ３０の途中部がメインワイヤ２０の先端環状部４１（図３参照）を挿通して、メインワイヤ２０の接続部４５に繋がった形成で天秤が構成されている。これにより、メインワイヤ２０の基端環状部４２に道糸５１を接続したスナップサルカン５７が連結され、サブワイヤ３０の先端環状部４３に仕掛け５８が連結されることによりタックルが完成する。
【００２４】
以下、錘１２の構造を説明する。錘１２は、タングステン、その他の金属により構成されている。錘１２は略紡錘形を呈しており、その外周面は滑らかな曲面に形成されている。錘１２は略紡錘形に形成されているため飛行中に受ける空気抵抗が小さくなる。なお、錘１２は略紡錘形に限定されるものではなく、円錐形等さまざまな形状が採用され得る。
【００２５】
本実施形態では、釣用天秤１０は、外径が異なった２本のステンレス鋼を接続した形態で形成されている。図１が示すように釣用天秤１０は、メインワイヤ２０の基端環状部４２（図４参照）と、屈曲部２２（図３参照）と、スライド規制部材２３と、メインワイヤの先端環状部４１と、メインワイヤ２０と、サブワイヤ３０と、サブワイヤの先端環状部４３（図５参照）とを有している。
【００２６】
メインワイヤ２０の基端環状部４２（図４参照）及び先端環状部４１（図３参照）が示すように、ステンレス鋼の先端がリング形状に屈曲されている。また、メインワイヤ２０は、先端環状部４１の略手前で鋭角に屈曲され、先端環状部４１とメインワイヤ２０の屈曲部２２の中間にスライド規制部材２３を設けている。これにより、メインワイヤ２０が構成されている。
【００２７】
サブワイヤ３０の先端環状部４３は、図５が示すように、ステンレス鋼の先端がリング形状に屈曲されている。また、サブワイヤ３０の一端側は図３が示すように、メインワイヤの環状部４１を挿通しており、さらに図２が示すように、メインワイヤ２０との接続部４５で形成されている。これによりサブワイヤ３０が構成されている。
【００２８】
図１及び図４が示すように、メインワイヤ２０の基端環状部４２は、連結具５７を介して道糸５１を連結するためのものである。なお、連結具５７を介することなく基端環状部４２に直接道糸５１が連結されてもよい。
【００２９】
本実施形態では、図２が示すように、メインワイヤ２０の外径寸法Cが１.0mmに、サブワイヤ３０の外径寸法が０.８mmに設定されている。このようにサブワイヤ３０の外径はメインワイヤの外径よりも小さく設定されている。すなわち、サブワイヤはメインワイヤよりも剛性が低くなるように形成されている。
【００３０】
図１は、実釣時における釣用天秤１０の図も備えている。
【００３１】
本実施形態に係る天秤１０は以下のように使用される。釣人が仕掛け５８をキャストすることにより、釣用天秤１０は仕掛け５８と共に飛行する。釣用天秤１０、及び、仕掛け５８の中で最も重いのは錘１２である。したがって、釣用天秤１０、及び、仕掛け５８は、錘１２が先行し、メインワイヤ２０に接続された道糸５１、及び、サブワイヤ３０に接続された仕掛け５８が、錘１２に引っ張られるようにして飛行する。図２が示すように、メインワイヤ２０の外径寸法Cが、サブワイヤ３０の外径寸法Bよりも大きいため剛性が高くなる。また、図３が示すように、メインワイヤより外径寸法の小さいサブワイヤ３０は、メインワイヤ２０の先端環状部４１がサブワイヤ３０の途中部を支えている。これにより、飛行中にサブワイヤ３０全体が大きく撓むことが防止され、仕掛け５８が道糸５１に絡むことがない。また、サブワイヤ３０はメインワイヤ２０に比べて縮径されているので、サブワイヤ３０が飛行中に受ける空気抵抗が低減される。これにより、釣用天秤１０の飛行距離が伸びる。
【００３２】
図６は、釣用天秤１０に魚がヒット（魚が釣れる）した状態を示す図である。仕掛け５８が着水して海底に配置された後、釣人は、道糸５１をゆっくりとリーリングし、いわゆる引き釣りを行うことにより魚のバイト（餌に食いつく）を誘う。魚がヒットしたとき、釣用天秤１０が符号８０方向（仕掛け５８側）に引っ張られる。そのとき釣用天秤１０と錘１２は可動式に設定しているので、釣用天秤１０は、錘１２の抵抗を受けずに符号８０方向（仕掛け５８側）に移動することで、魚の微弱なアタリをより正確に伝達する。また、サブワイヤ３０は、メインワイヤ２０に比べて縮径されているので、サブワイヤ３０が撓み、魚のバイトの振動が敏感に道糸５１を介して釣人に伝達する。
【００３３】
また、本実施形態では図１が示すように、メインワイヤ２０と錘１２が軸線上に配置されている。したがって、キャスティング時における釣用天秤１０の飛行姿勢が安定するので仕掛け５８の絡みがより防止され、且つ釣用天秤１０の飛行距離が伸びる。
【００３４】
なお、本実施形態で示したサブワイヤ３０の外径寸法B、メインワイヤ２０の外径寸法Cは一例である。したがって、実施形態で例示した寸法に限定されるものではない。例えば、サブワイヤ３０の外径寸法Bとメインワイヤ２０の外径寸法Cが等しく設定されてもよい。さらにサブワイヤ３０とメインワイヤ２０の材質も、ステンレス鋼に限らず樹脂などの材質に設定されてもよい。
【００３５】
また、本実施形態では、メインワイヤ２０の外径寸法Cがサブワイヤ３０の外径寸法Bよりも大きく設定しているが、メインワイヤ２０の外径寸法Cは、サブワイヤの外径寸法Bよりも小さく設定してもよい。
【００３６】
（第２実施形態）
以下、本発明の第２形態を説明する。図７は、本発明の実施形態に係る釣用天秤７０の図である。第２実施形態に係る釣用天秤７０が第１実施形態と異なる点は、スナップサルカン５７に接続した錘１２が可動式に対して、メインワイヤ２０の屈曲部２２の位置に固定用環状部７２が設けられ、スナップサルカン５７が固定用環状部７２に設置されている点であり、その他は第１実施形態と同様である。このため第１実施形態と共通する点については同一符号が付されている。
【００３７】
第２実施形態におけるメインワイヤ２０の固定用環状部７２には、スナップサルカン５７に接続された錘１２が構成されている。
【００３８】
このように、釣用天秤７０では、メインワイヤ２０の固定用環状部７２に錘１２を接続したスナップサルカン５７が可動しない構成なので、錘が波の揺れなどの影響を受けにくくなり、魚のアタリのみ釣用天秤７０を介して道糸５１に伝わる。また、釣用天秤７０の飛行姿勢が安定して飛距離が伸びる。
【産業上の利用可能性】
【００３９】
本発明は、主として投げ釣に使用される釣用天秤に適用され得る。
【符号の説明】
【００４０】
１０、７０・・・天秤（釣用天秤）
１２・・・錘
２０・・・メインワイヤ
２２・・・屈曲部
２３・・・スライド規制部材
３０・・・サブワイヤ
４１・・・メインワイヤ先端環状部
４２・・・メインワイヤ基端環状部
４３・・・サブワイヤ先端環状部
４５・・・接続部
５１・・・道糸
５２・・・釣り針
５４・・・幹糸
５７・・・連結具（スナップサルカン）
５８・・・仕掛け
７２・・・固定用環状部
８０・・・引っ張り方向
【図１】
2014221008.tif 000003
【図２】
2014221008.tif 000004
【図３】
2014221008.tif 000005
【図４】
2014221008.tif 000006
【図５】
2014221008.tif 000007
【図６】
2014221008.tif 000008
【図７】
2014221008.tif 000009
【図８】
2014221008.tif 000010
【手続補正書】
【提出日】平成25年5月23日(2013.5.23)
【手続補正１】
【補正対象書類名】図面
【補正対象項目名】図１
【補正方法】変更
【補正の内容】
【図１】
2014221008.tif 000011
【手続補正２】
【補正対象書類名】図面
【補正対象項目名】図６
【補正方法】変更
【補正の内容】
【図６】
2014221008.tif 000012
【手続補正書】
【提出日】平成25年7月25日(2013.7.25)
【手続補正１】
【補正対象書類名】特許請求の範囲
【補正対象項目名】全文
【補正方法】変更
【補正の内容】
【特許請求の範囲】
【請求項１】
道糸の先端に基端環状部が連結されたメインワイヤと、
前記メインワイヤの前記基端環状部より先端側に取付けられたスライド自在な錘と、
前記メインワイヤの基端環状部から前記錘の間に設けられた接続部と、
前記接続部から伸びたサブワイヤと、
前記サブワイヤの先端に仕掛けを取付けることができるサブワイヤ先端環状部と、
前記サブワイヤを挿通可能な前記メインワイヤの前記基端環状部の反対側にメインワイヤ先端環状部とを備えた釣用天秤であって、
前記サブワイヤの外径は、前記メインワイヤの外径よりも小さく設定されていることを特徴とする釣用天秤。
【請求項２】
請求項１記載の釣用天秤において、前記接続部と、前記メインワイヤ先端環状部の間に屈曲部が設けられたことを特徴とする釣用天秤。
【請求項３】
請求項２記載の釣用天秤において、メインワイヤ先端環状部から前記屈曲部までは一直線に構成されたことを特徴とする釣用天秤。
【請求項４】
請求項２又は３記載の釣用天秤において、前記屈曲部と前記メインワイヤ先端環状部の間に、スライド規制部材が設けられていることを特徴とする釣用天秤。
【手続補正２】
【補正対象書類名】明細書
【補正対象項目名】０００８
【補正方法】変更
【補正の内容】
【０００８】
上記目的を達成するため、本発明は、道糸の先端に基端環状部が連結されたメインワイヤと、
前記メインワイヤの前記基端環状部より先端側に取付けられたスライド自在な錘と、
前記メインワイヤの基端環状部から前記錘の間に設けられた接続部と、
前記接続部から伸びたサブワイヤと、
前記サブワイヤの先端に仕掛けを取付けることができるサブワイヤ先端環状部と、
前記サブワイヤを挿通可能な前記メインワイヤの前記基端環状部の反対側にメインワイヤ先端環状部とを備えた釣用天秤であって、
前記サブワイヤの外径は、前記メインワイヤの外径よりも小さく設定されていることを特徴とするものである。
【手続補正３】
【補正対象書類名】明細書
【補正対象項目名】００１０
【補正方法】変更
【補正の内容】
【００１０】
また、前記接続部と、前記メインワイヤ先端環状部の間に屈曲部が設けられたことを特徴とするものである。
【手続補正４】
【補正対象書類名】明細書
【補正対象項目名】００１２
【補正方法】変更
【補正の内容】
【００１２】
また、メインワイヤ先端環状部から前記屈曲部までは一直線に構成されたことを特徴とするものである。
【手続補正５】
【補正対象書類名】明細書
【補正対象項目名】００１４
【補正方法】変更
【補正の内容】
【００１４】
また、前記屈曲部と前記メインワイヤ先端環状部の間に、スライド規制部材が設けられていることを特徴とするものである。